(57)【特許請求の範囲】
【請求項１】
環状に形成された板の第１面および第２面でそれぞれ他の部材と摺動するワッシャ本体と、
前記第１面に設けられた第１ランド部と、
前記第１面に設けられ、前記第１ランド部に対して周方向において傾斜している第１テーパ部と、
前記第２面に、周方向において前記第１ランド部と異なる位置に設けられた第２ランド部と、
前記第２面に、周方向において前記第１テーパ部と異なる位置に設けられ、前記第２ランド部に対して周方向において傾斜している第２テーパ部と、
を有し、
前記第１ランド部及び前記第２ランド部に対する前記第１テーパ部及び前記第２テーパ部のテーパ深さが、０．００５ｍｍ以上０．０１５ｍｍ未満であり、
前記第１ランド部及び前記第２ランド部の少なくとも一方のランド部と、該ランド部に隣接する１つのテーパ部の周方向に沿った範囲とのうち、該１つのテーパ部の占める広さが、０．６以上０．８以下であり、
前記第１テーパ部は、前記第１ランド部の前記周方向における両側に隣接してそれぞれ設けられ、
前記第２テーパ部は、前記第２ランド部の前記周方向における両側に隣接してそれぞれ設けられ、
前記第１ランド部は、前記第１面において複数設けられ、
前記第２ランド部は、前記第２面において複数設けられ、
前記第２ランド部は、隣り合う２つの前記第１ランド部の周方向における中央に相当する位置にある
ことを特徴とするワッシャ。
【請求項２】
前記第１ランド部の前記周方向における一方の側に設けられた第１テーパ部は、他方の側に設けられた第１テーパ部と該第１ランド部を介して対称であり、
前記第２ランド部の前記周方向における一方の側に設けられた第２テーパ部は、他方の側に設けられた第２テーパ部と該第２ランド部を介して対称である
ことを特徴とする請求項１に記載のワッシャ。
【請求項３】
前記第１テーパ部は、前記第２テーパ部とほぼ同じ大きさである
ことを特徴とする請求項１又は２のいずれか一項に記載のワッシャ。
【請求項４】
前記第１面および前記第２面には、外周面から内周面にわたって潤滑油を通す油溝が設けられている
ことを特徴とする請求項１乃至３のいずれか一項に記載のワッシャ。
【発明の詳細な説明】
【技術分野】
【０００１】
本発明は、表裏の両面で他の部材と摺動するワッシャに関する。
【背景技術】
【０００２】
自動車のエンジンや光ディスクドライブなどで利用されるスラスト荷重を受ける摺動部材には、表裏の両面で他の部材（相手部材）と摺動するものがあり、さらに相手部材が正逆両方に回転し得るものもある。これらの摺動部材において摩擦抵抗を低減することが求められている。
【０００３】
例えば、特許文献１には、摺動面に潤滑油を供給するため、リング状平板の表裏それぞれの面に、径方向の溝部と非溝部を所定角度間隔で交互に設け、溝部を潤滑油の流通路とし非溝部を摺動面とし、一方の面の溝部が他方の面の非溝部に対応する配置とし、溝部には対応する反対面の非溝部に通じる貫通穴を設けたスラストワッシャが開示されている。
【先行技術文献】
【特許文献】
【０００４】
【特許文献１】特開２００２−８１４４６号公報
【発明の概要】
【発明が解決しようとする課題】
【０００５】
特許文献１に記載の溝は単に潤滑油を供給するためのものであるので、油膜圧力が低いという問題があった。
【０００６】
これに対し本発明は、両面摺動可能なワッシャにおいて油膜圧力を向上させる技術を提供する。
【課題を解決するための手段】
【０００７】
本発明は、環状に形成された板の第１面および第２面でそれぞれ他の部材と摺動するワッシャ本体と、前記第１面に設けられた第１凹部と、前記第２面に、周方向において前記第１凹部と異なる位置に設けられた第２凹部と、前記ワッシャ本体の内周面に設けられた切欠部と、を有することを特徴とするワッシャを提供する。
【０００８】
本発明において、前記第１面は、第１ランド部と、該第１ランド部に対して周方向において傾斜している第１テーパ部とを有し、前記第２面は、第２ランド部と、該第２ランド部に対して周方向において傾斜している第２テーパ部とを有し、前記第１凹部は、前記第１テーパ部を含み、前記第２凹部は、前記第２テーパ部を含んでもよい。
【０００９】
本発明において、前記第１テーパ部は、前記第１ランド部の前記周方向における両側に隣接してそれぞれ設けられ、前記第２テーパ部は、前記第２ランド部の前記周方向における両側に隣接してそれぞれ設けられていてもよい。
【００１０】
本発明において、前記第１ランド部の前記周方向における一方の側に設けられた第１テーパ部は、他方の側に設けられた第１テーパ部と該第１ランド部を介して対称であり、前記第２ランド部の前記周方向における一方の側に設けられた第２テーパ部は、他方の側に設けられた第２テーパ部と該第２ランド部を介して対称であってもよい。
【００１１】
本発明において、前記第１凹部に含まれる前記第１テーパ部は、前記第２凹部に含まれる前記第２テーパ部とほぼ同じ大きさであってもよい。
【００１２】
本発明において、前記第１凹部および前記第２凹部には、外周面から内周面にわたって潤滑油を通す油溝が設けられていてもよい。
【００１３】
また、本発明は、環状に形成された板の第１面および第２面でそれぞれ他の部材と摺動するワッシャ本体と、前記第１面に設けられた第１ランド部と、前記第１面に設けられ、前記第１ランド部に対して周方向において傾斜している第１テーパ部と、前記第２面に、周方向において前記第１ランド部と異なる位置に設けられた第２ランド部と、前記第２面に、周方向において前記第１テーパ部と異なる位置に設けられ、前記第２ランド部に対して周方向において傾斜している第２テーパ部と、を有することを特徴とするワッシャを提供する。
【００１４】
本発明において、前記第１テーパ部は、前記第１ランド部の前記周方向における両側に隣接してそれぞれ設けられ、前記第２テーパ部は、前記第２ランド部の前記周方向における両側に隣接してそれぞれ設けられていてもよい。
【００１５】
本発明において、前記第１ランド部の前記周方向における一方の側に設けられた第１テーパ部は、他方の側に設けられた第１テーパ部と該第１ランド部を介して対称であり、前記第２ランド部の前記周方向における一方の側に設けられた第２テーパ部は、他方の側に設けられた第２テーパ部と該第２ランド部を介して対称であってもよい。
【００１６】
本発明において、前記第１テーパ部は、前記第２テーパ部とほぼ同じ大きさであってもよい。
【００１７】
本発明において、前記第１面および前記第２面には、外周面から内周面にわたって潤滑油を通す油溝が設けられていてもよい。
【発明の効果】
【００１８】
本発明によれば、両面摺動可能なワッシャにおいて油膜圧力を向上させることができる。
【図面の簡単な説明】
【００１９】
【図１】本発明の実施形態に係るワッシャ１の一例を示す概要図。
【図２】ワッシャ１を第１面１０ａの側から見た図。
【図３】軸Ｏを中心とした円に沿ってワッシャ１を切断した断面Ｓを示す図。
【図４】ワッシャ１に生じる弾性変形を説明するための概要図。
【図５】変形例におけるワッシャ１を説明するための図。
【図６】変形例においてワッシャ１を切断した断面Ｓを示す図。
【発明を実施するための形態】
【００２０】
１．実施形態
図１は、本発明の実施形態に係るワッシャ１の一例を示す概要図である。ワッシャ１は、環状に形成された平板の部材であるワッシャ本体を有する。ワッシャ本体は平板であるため、表裏に互いに平行な端面を有する。ワッシャ本体の一方の端面を第１面１０ａと呼び、他方の端面を第２面１０ｂと呼ぶ。ワッシャ１は、これら２つの端面で他の部材（相手部材という）と摺動し、その相手部材のスラスト荷重（軸方向に沿った荷重）を受ける。ワッシャ本体は、環の内側の面である内周面１７と、外側の面である外周面１８とを有する。なお、ワッシャ本体の材質には、スチールやブロンズ（例えばリン青銅）など様々な金属が好適に用いられる。
【００２１】
図２は、ワッシャ１を第１面１０ａの側から見た図である。図２において、ワッシャ１が配置される空間をｘｙｚ右手系座標空間として表し、座標記号のうち、円の中に点を描いた記号は、紙面奥側から手前側に向かう矢印を表す。空間においてｘ軸に沿う方向をｘ軸方向という。また、ｘ軸方向のうち、ｘ成分が増加する方向を＋ｘ方向といい、ｘ成分が減少する方向を−ｘ方向という。ｙ、ｚ成分についても、上記の定義に沿ってｙ軸方向、＋ｙ方向、−ｙ方向、ｚ軸方向、＋ｚ方向、−ｚ方向を定義する。
【００２２】
図２に示す通り、ワッシャ本体の環の軸Ｏはｚ軸方向に沿って配置されている。第１面１０ａはワッシャ本体の＋ｚ方向の側であり、第２面１０ｂ（図２において図示せず）はワッシャ本体の−ｚ方向の側である。内周面１７は、軸Ｏから半径ｒ０の距離にある面である。外周面１８は、軸Ｏから半径ｒ３の距離にある面である。
【００２３】
ワッシャ本体の内周面１７には、複数の切欠部１９が設けられている。図２に示すワッシャ１では、内周面１７の６箇所に切欠部１９が設けられている。切欠部１９のうち最も軸Ｏから遠い部分は軸Ｏから距離ｒ１だけ離れている。
【００２４】
第１面１０ａは、ランド部１１ａ（第１ランド部）と、テーパ部１２ａ（第１テーパ部）と、油溝１３ａとを有する。ランド部１１ａは、軸Ｏに垂直な面、すなわち、第１面１０ａに沿った部分である。テーパ部１２ａは、ランド部１１ａに対して周方向において傾斜している部分である。
【００２５】
図２に示す位相θは、ｘｙ平面上において軸Ｏを中心とした円周上の点の位置を示す値であり、軸Ｏからその点へ向いたベクトルと、＋ｘ方向のベクトルとが成す角度で表される。したがって、位相θは０度のときに＋ｘ方向を示し、９０度のときに＋ｙ方向を示し、１８０度のときに−ｘ方向を示し、２７０度のときに−ｙ方向を示す。
【００２６】
ここで、ワッシャ１の断面によりランド部１１ａ、テーパ部１２ａ、および油溝１３ａのｚ軸方向の形状を説明する。
図３は、軸Ｏを中心としてｘｙ平面上に描いた円に沿ってワッシャ１を切断した断面Ｓを示す図である。ワッシャ１を切断した断面Ｓはｘｙ平面上において軸Ｏを中心とする半径ｒ２の円に沿っている。ここで、半径ｒ２の円とは、図１に示すように、軸Ｏを中心とする放射方向において「切欠部１９のうち最も軸Ｏから遠い部分」と「外周面１８」とを結ぶ線分の中間点を通る円である。したがって、半径ｒ２は、以下の式（１）によって算出される。
ｒ２＝（ｒ１＋ｒ３）／２  …（１）
【００２７】
なお、切欠部１９のうち最も軸Ｏから遠い部分と外周面１８との距離は、（ｒ３−ｒ１）であり、上述した円はこの中間点を通るので、この距離の半分を距離ｒ４とすると半径ｒ２は、以下の式（２）によっても表される。
ｒ２＝ｒ１＋ｒ４  …（２）
【００２８】
半径ｒ０，ｒ２，ｒ３、および距離ｒ１は、ワッシャ１が支える相手部材の大きさなどに応じて決められるが、例えば、ｒ０＝２４．５ｍｍ、ｒ１＝２６．５ｍｍ、ｒ２＝２９．５ｍｍ、ｒ３＝３２．５ｍｍ、ｒ４＝３．０ｍｍなどである（この例は図２のワッシャ１の寸法を示すものではない）。
【００２９】
図３には、ｚ軸方向の位置を示す「ｚ」と、位相θを示す「θ」とで構成されるｚθ座標でこの断面Ｓを表した形状が示されている。ランド部１１ａは、ｚ＝０の平面から＋ｚ方向に厚みｄ１を有する。テーパ部１２ａは、ワッシャ１の周方向においてランド部１１ａの両側に隣接してそれぞれ設けられている。テーパ部１２ａは、周方向においてランド部１１ａの両側から厚みが減少するように傾斜した部分であり、その最も薄い部分はランド部１１ａを基準として、深さｄ２の窪みとなっている。なお、テーパ部１２ａはランド部１１ａより厚みが減少した部位であるため、深さｄ２は正の値であり、０ｍｍおよび負の値にはならない。
【００３０】
油溝１３ａは、内周面１７から外周面１８にわたって潤滑油を通す溝である。油溝１３ａは、テーパ部１２ａの最も薄い部分に隣接していて、その深さは深さｄ３である。深さｄ３は、深さｄ２よりも深い。
【００３１】
なお、図３において示される位置は相対的であり、実際には厚みｄ１＞深さｄ３≫深さｄ２である。例えば、厚みｄ１＝１．０ｍｍ（ミリメートル）、深さｄ３＝０．２ｍｍ、深さｄ２＝０．０２５ｍｍである。
【００３２】
また、ランド部１１ａの周方向における一方の側に設けられたテーパ部１２ａは、他方の側に設けられたテーパ部１２ａと、ランド部１１ａを介して対称である。ここでいう「対称」とは、軸Ｏに沿ったベクトルと、この軸Ｏを中心とする一つの放射方向に沿ったベクトルとで表される平面のうち、ランド部１１ａの周方向における中間点を通る平面を鏡映面としたときに、このランド部１１ａの両側のテーパ部１２ａが互いに鏡像となる「鏡像対称」をいう。ワッシャ１と摺動する相手部材の回転方向が正逆いずれもあり得る場合であっても、ランド部１１ａの周方向における両側に設けられた２つのテーパ部１２ａがランド部１１ａを介して互いに鏡像対称であることにより、摺動によって潤滑油が誘導される隙間の形状は同じになる。
【００３３】
テーパ部１２ａおよび油溝１３ａは、ランド部１１ａよりも−ｚ方向に凹んだ部位である。したがって、ランド部１１ａはテーパ部１２ａよりも＋ｚ方向に突出した部位であり、テーパ部１２ａよりも第１面１０ａと摺動する相手部材に近い部位である。油溝１３ａと、この油溝１３ａの周方向における両側のテーパ部１２ａとは、第１凹部Ｕａに含まれる。
【００３４】
深さｄ２は、０．０４ｍｍ以下であることが望ましく、０．０１ｍｍ程度（例えば０．００５ｍｍ以上０．０１５ｍｍ未満）であることが最も望ましい。
【００３５】
またこの断面において、ランド部１１ａは、周方向に沿って角度θ１にわたって存在し、テーパ部１２ａは、周方向に沿って角度θ２にわたって存在している。そして、この断面において油溝１３ａは、周方向に沿って角度θ３にわたって存在している。図３に示す例では、角度θ３は角度θ１よりも小さい。
【００３６】
テーパ比とは、ランド部１１ａと、このランド部１１ａに隣接する１つのテーパ部１２ａの周方向に沿った範囲のうち１つのテーパ部１２ａが占める比率である。テーパ比ｋは、以下の式（３）で表される。
ｋ＝θ２／（θ２＋θ１）  …（３）
【００３７】
テーパ比は、０．５以上０．９以下であることが望ましく、０．６以上０．８以下であることがより望ましい。最も望ましいテーパ比は、０．７である。
【００３８】
第２面１０ｂにも、ランド部１１ｂ、テーパ部１２ｂ、および油溝１３ｂが設けられている。ランド部１１ｂ、テーパ部１２ｂ、および油溝１３ｂは、大きさ、すなわち、周方向の長さとｚ軸方向の深さ、およびこれらの周方向における並び方、鏡像関係などがそれぞれ、ランド部１１ａ、テーパ部１２ａ、および油溝１３ａと共通である。
【００３９】
つまり、ワッシャ１の第１面１０ａには、１つのランド部１１ａ、このランド部１１ａの両側に隣接した２つのテーパ部１２ａ、およびこれら２つのテーパ部１２ａのいずれか一方に隣接した１つの油溝１３ａからなる組が、第１面１０ａにおいて１２０度ごとに３つ設けられている。そして、ワッシャ１の第２面１０ｂには、１つのランド部１１ｂ、このランド部１１ｂの両側に隣接した２つのテーパ部１２ｂ、およびこれら２つのテーパ部１２ｂのいずれか一方に隣接した１つの油溝１３ｂからなる組が、第２面１０ｂにおいて１２０度ごとに３つ設けられている。
【００４０】
一方、ランド部１１ａとランド部１１ｂとは周方向において異なる位相で設けられている。例えば、図３に示すランド部１１ａは、３０度を中心に設けられているが、ランド部１１ｂは、９０度を中心に設けられている。したがって、ランド部１１ａとランド部１１ｂとは周方向において６０度の位相差がある。テーパ部１２ａとテーパ部１２ｂ、および油溝１３ａと油溝１３ｂも同様に、周方向において６０度の位相差がある。
【００４１】
なお、テーパ部１２ｂおよび油溝１３ｂは、ランド部１１ｂよりも＋ｚ方向に凹んだ部位である。油溝１３ｂと、この油溝１３ｂの周方向における両側のテーパ部１２ｂとは、第２凹部Ｕｂに含まれる。上述した通り、ランド部１１ａとランド部１１ｂとは周方向においてそれぞれ異なる位置に設けられているので、第２凹部Ｕｂは、周方向において第１凹部Ｕａと異なる位置に設けられている。切欠部１９は、ワッシャ１の内周面１７において、３つのランド部１１ａおよび３つのランド部１１ｂに相当する合計６箇所にそれぞれ重ねて設けられている。
【００４２】
ワッシャ１に相手部材からｚ軸方向の荷重がかかると、上述した第１面１０ａの構成と第２面１０ｂの構成との位相差により、ワッシャ１は弾性変形する。
【００４３】
図４は、ワッシャ１に生じる弾性変形を説明するための概要図である。図４には、半径ｒ２の円でワッシャ１を切断した断面Ｓが示されており、上下がｚ軸方向であり、左右が周方向である。図４に示す断面図のｚ軸方向の位置は、誇張されており相対的なものである。第１面１０ａが、ワッシャ１の＋ｚ方向に存在する相手部材８ａと摺動すると、第１面１０ａのランド部１１ａが−ｚ方向の力Ｆａを受ける。
【００４４】
一方、第２面１０ｂが、ワッシャ１の−ｚ方向に存在する相手部材８ｂと摺動すると、第２面１０ｂのランド部１１ｂが＋ｚ方向の力Ｆｂを受ける。ランド部１１ｂが相手部材８ｂから受ける＋ｚ方向の力Ｆｂは、ランド部１１ａが相手部材８ａから受ける−ｚ方向の力Ｆａと周方向において位相が異なっており、第１面１０ａにおいてランド部１１ｂに対向する位置には、第１凹部Ｕａが存在している。そのため、荷重がかかる前後において相手部材８ａのｚ軸方向の位置が変化しないとすると、第１凹部Ｕａは、図４に二点鎖線で示した形状に変形する。すなわち、力Ｆａと力Ｆｂとによって、第１凹部Ｕａは浅くなるように変形する。その結果、図４に示す断面図においてランド部１１ａとテーパ部１２ａとの成す角度は、変形前の角度αから、角度αよりも鋭角な角度βに変化する。
【００４５】
ワッシャ１が図４に示す矢印Ｄ０方向に回転すると、第１面１０ａの第１凹部Ｕａに付着した潤滑油は、相手部材８ａからのせん断力を受けて矢印Ｄ１方向に移動するので、相手部材８ａとテーパ部１２ａとに挟まれたくさび状の隙間に誘導される。製造時においてワッシャ１は相手部材８ａから−ｚ方向の荷重を受けていないので、上述した通り、ランド部１１ａとテーパ部１２ａとの成す角度は角度αである。一方、相手部材８ａと摺動しているとき、ワッシャ１は相手部材８ａから−ｚ方向の荷重を受けているため、ランド部１１ａとテーパ部１２ａとの成す角度は角度αよりも鋭角である角度βに変化している。そのため、潤滑油はワッシャ１の製造時よりも狭い隙間に誘導されることとなり、くさび効果が増大する。
【００４６】
周方向に角度βの傾斜を有するテーパ部１２ａを製造することは困難であるが、角度βよりも大きい角度αの傾斜を有するテーパ部１２ａを製造することは、比較的容易である。したがって、この実施形態におけるワッシャ１は、製造し易く、かつ、相手部材と摺動する際に弾性変形して変形前よりも高い「くさび効果」を奏するので、より少ない量の潤滑油で摩擦抵抗が低減する。
【００４７】
本願発明の発明者らは、実際に高速スラスト軸受試験機を用いてワッシャ１に１０００秒にわたる負荷をかけた実験を行った。この実験において、テーパ部を設けずにランド部と油溝１３ａで構成されたワッシャ（平ワッシャ）と比較した結果、本願発明に係るワッシャ１は、平ワッシャに比べて、荷重２５Ｎ（ニュートン）、５０Ｎ、７５Ｎのいずれにおいても摩擦トルクが抑制された。
【００４８】
２．変形例
以上が実施形態の説明であるが、この実施形態の内容は以下のように変形し得る。また、以下の変形例を組み合わせてもよい。
【００４９】
２−１．変形例１
上述した実施形態において、油溝１３ａは、テーパ部１２ａの最も薄い部分に隣接していたが、テーパ部１２ａに隣接していなくてもよい。例えば、ワッシャ１は、油溝１３ａとテーパ部１２ａとの間にテーパ部１２ａと異なる部分を有していてもよい。
【００５０】
図５は、この変形例におけるワッシャ１を説明するための図である。図５には、この変形例におけるワッシャ１を＋ｚ方向から見た形状が描かれている。図５に示すように、この変形例におけるワッシャ１の第１面１０ａには、油溝１３ａとテーパ部１２ａとの間には、ボトム部１４ａが設けられている。
【００５１】
図６は、この変形例において、軸Ｏを中心としてｘｙ平面上に描いた円に沿ってワッシャ１を切断した断面Ｓを示す図である。ボトム部１４ａは、テーパ部１２ａの最も薄い部分に隣接した面であり、軸Ｏに垂直な面、すなわち、第１面１０ａに沿った部分である。図６に示す通り、ボトム部１４ａのランド部１１ａを基準とした深さは、テーパ部１２ａの最も薄い部分の深さと同じ「深さｄ２」である。この構成であっても、テーパ部１２ａとランド部１１ａとの成す角は比較的鋭角であり、周方向に沿って傾斜しているため、潤滑油がこの傾斜によって狭くなる方の隙間に誘導されて、くさび効果を奏する。
【００５２】
なお、上述した実施形態において、油溝１３ａの周方向の大きさを示す角度θ３は、ランド部１１ａの周方向の大きさを示す角度θ１よりも小さかったが、角度θ１以上であってもよい。また、油溝１３ａの２つの稜線は、軸Ｏを中心としてｘｙ平面上に放射状に広がっておらず、幅が同じになるように平行となっていたが、放射状に沿った形状であってもよい。
【００５３】
２−２．変形例２
上述した実施形態において、ワッシャ１の第１面１０ａには、ランド部１１ａと、このランド部１１ａの両側に隣接した２つのテーパ部１２ａと、いずれか一方のテーパ部１２ａに隣接した油溝１３ａとからなる組が、第１面１０ａにおいて１２０度ごとに３つ設けられ、第２面１０ｂにおいても、これらに相当する構成が３つ設けられていたが、これらの組が端面に設けられる数は３つに限られない。これらの組は複数であれば、２つであってもよいし、４つ以上であってもよい。
【００５４】
２−３．変形例３
上述した実施形態において、ワッシャ１の第１面１０ａには油溝１３ａが、第２面１０ｂには油溝１３ｂがそれぞれ設けられていたが、油溝はいずれか一方の端面にだけ設けられていてもよい。また、油溝は、いずれの端面にも設けられなくてよい。油溝１３ａが設けられていない場合、２つのテーパ部１２ａが第１凹部Ｕａを構成し、２つのテーパ部１２ｂが第２凹部Ｕｂを構成していればよい。この場合、例えばテーパ部１２ａやテーパ部１２ｂは、それらの最も薄い部分同士で隣接する。
【００５５】
２−４．変形例４
上述した実施形態において、ランド部１１ａの周方向における一方の側に設けられたテーパ部１２ａは、他方の側に設けられたテーパ部１２ａと、ランド部１１ａを介して対称であったが、非対称であってもよい。例えば相手部材の回転方向が一方向に限定されている場合、潤滑油が誘導される方のテーパ部１２ａが、誘導されない側のテーパ部１２ａに比べて、軸Ｏに垂直な面に対する角度が浅いように設計されていればよい。
【００５６】
また、ランド部１１ａの周方向における一方の側にテーパ部１２ａが設けられている場合に、他方の側にテーパ部１２ａが設けられていなくてもよい。
【００５７】
２−５．変形例５
また、ランド部１１ａやランド部１１ｂの周方向における両側のいずれにも、テーパ部１２ａやテーパ部１２ｂは設けられなくてよい。この場合、ランド部１１ａとランド部１１ｂとは周方向における位相が異なっており、ランド部１１ａやランド部１１ｂの周方向における両側には油溝１３ａ、油溝１３ｂがそれぞれ設けられていればよく、この油溝１３ａおよび油溝１３ｂが通過する内周面１７にはそれぞれ潤滑油を軸Ｏに沿った方向に通す切欠部１９が設けられていればよい。
【００５８】
２−６．変形例６
上述した実施形態において、切欠部１９は、ワッシャ１の内周面１７において、３つのランド部１１ａおよび３つのランド部１１ｂに相当する合計６箇所にそれぞれ重ねて設けられていたが、ワッシャ１は切欠部１９を有していなくてもよい。例えば、内周面１７に収容される軸との隙間を通って潤滑油が第１面１０ａと第２面１０ｂとを行き来するように構成されていてもよい。また、油溝１３ａやテーパ部１２ａなどに、軸Ｏに沿った方向の孔が設けられていてもよい。これらの孔は、潤滑油を通す孔であるため、潤滑油は第１面１０ａと第２面１０ｂとを行き来する。
【符号の説明】
【００５９】
１…ワッシャ
１０ａ…第１面
１０ｂ…第２面
１１ａ，１１ｂ…ランド部
１２ａ，１２ｂ…テーパ部
１３ａ，１３ｂ…油溝
１４ａ，１４ｂ…ボトム部
１７…内周面
１８…外周面
１９…切欠部
８ａ，８ｂ…相手部材
【図１】
0006692670.tif 000002
【図２】
0006692670.tif 000003
【図３】
0006692670.tif 000004
【図４】
0006692670.tif 000005
【図５】
0006692670.tif 000006
【図６】
0006692670.tif 000007